(57)【要約】【課題】通信網上の画像情報をファクシミリ通信により受信して印刷する場合に比して、通信網上の画像情報を高画質で印刷することが可能なファクシミリ装置を提供する。【解決手段】ファクシミリ装置１は、公衆回線Ｎ１を使ってファクシミリ画像情報を受信し、受信されたファクシミリ画像情報から、検索用の情報を抽出し、抽出された検索用の情報に基づいて、当該ファクシミリ装置１に接続された通信網Ｎ２から検索された画像情報を取得し、取得された画像情報を印刷する。【選択図】図１
2008187599.tif 000002
【特許請求の範囲】
【請求項１】
公衆回線を使ってファクシミリ画像情報を受信する受信手段と、
前記受信手段により受信されたファクシミリ画像情報から、検索用の情報を抽出する情報抽出手段と、
前記情報抽出手段により抽出された検索用の情報に基づいて、当該ファクシミリ装置に接続された通信網から検索された画像情報を取得する取得手段と、
前記取得手段により取得された画像情報を印刷する印刷手段と、
を備えることを特徴とするファクシミリ装置。
【請求項２】
請求項１に記載のファクシミリ装置であって、
前記情報抽出手段は、前記検索用の情報として、前記通信網上の画像情報の所在を特定する所在情報を抽出し、
前記取得手段は、前記抽出された所在情報に基づいて、当該所在情報により特定される前記通信網上の画像情報の所在から当該画像情報を取得する、
ことを特徴とするファクシミリ装置。
【請求項３】
請求項１に記載のファクシミリ装置であって、
前記情報抽出手段は、前記検索用の情報として、地図上の位置を特定する位置情報を抽出し、
前記取得手段は、前記抽出された位置情報に基づいて、当該位置情報により特定される位置に対応する地図画像情報を前記通信網から取得する、
ことを特徴とするファクシミリ装置。
【請求項４】
請求項１から３のうちいずれか１項に記載のファクシミリ装置であって、
前記受信手段により受信されたファクシミリ画像情報から、当該ファクシミリ画像情報内の画像合成領域を認識する画像合成領域認識手段と、
前記受信されたファクシミリ画像情報と前記取得された画像情報とを、前記認識された画像合成領域に前記画像情報が配置されるように合成する画像合成手段と、
をさらに備え、
前記印刷手段は、前記画像合成手段により合成された画像情報を印刷する、
ことを特徴とするファクシミリ装置。
【請求項５】
ファクシミリ装置のコンピュータに、
公衆回線を使って受信されたファクシミリ画像情報から、検索用の情報を抽出する手順と、
前記抽出された検索用の情報に基づいて、前記ファクシミリ装置に接続された通信網から検索された画像情報を取得する手順と、
前記取得された画像情報を、前記ファクシミリ装置の印刷部に印刷させる手順と、
を実行させることを特徴とするファクシミリ装置の制御プログラム。
【発明の詳細な説明】
【技術分野】
【０００１】
本発明は、ファクシミリ装置およびその制御プログラムに関する。
【背景技術】
【０００２】
通信回線を使ってファクシミリ画像情報を受信するファクシミリ装置がある。
【０００３】
特許文献１には、ファクシミリ装置を用いてインターネット内のサイト情報が印刷出力されるシステムが開示されている。当該システムは、サーバ装置とファクシミリ装置とを有する。サーバ装置は、ファクシミリ装置から、ＵＲＬ情報および当該ファクシミリ装置の宛先情報を示す二次元コード画像のファクシミリ信号を受信し、上記二次元コード画像からＵＲＬ情報および宛先情報を取得し、当該ＵＲＬ情報に基づきサイト情報を取得し、当該サイト情報を上記宛先情報に基づいてファクシミリ装置にファクシミリ信号で送信する。ファクシミリ装置は、サーバ装置からのファクシミリ信号を受信すると、当該ファクシミリ信号を復元することでサイト情報を取得し、取得されたサイト情報を印刷出力する。
【０００４】
【特許文献１】特開２００６−１２６９２８号公報
【発明の開示】
【発明が解決しようとする課題】
【０００５】
通信網上の画像情報をファクシミリ通信により受信して印刷する場合に比して、通信網上の画像情報を高画質で印刷することが可能なファクシミリ装置、またはその制御プログラムを提供することを目的とする。
【課題を解決するための手段】
【０００６】
本発明に係るファクシミリ装置は、公衆回線を使ってファクシミリ画像情報を受信する受信手段と、前記受信手段により受信されたファクシミリ画像情報から、検索用の情報を抽出する情報抽出手段と、前記情報抽出手段により抽出された検索用の情報に基づいて、当該ファクシミリ装置に接続された通信網から検索された画像情報を取得する取得手段と、前記取得手段により取得された画像情報を印刷する印刷手段と、を備えることを特徴とする。
【０００７】
本発明の一態様では、前記情報抽出手段は、前記検索用の情報として、前記通信網上の画像情報の所在を特定する所在情報を抽出し、前記取得手段は、前記抽出された所在情報に基づいて、当該所在情報により特定される前記通信網上の画像情報の所在から当該画像情報を取得する。
【０００８】
また、本発明の一態様では、前記情報抽出手段は、前記検索用の情報として、地図上の位置を特定する位置情報を抽出し、前記取得手段は、前記抽出された位置情報に基づいて、当該位置情報により特定される位置に対応する地図画像情報を前記通信網から取得する。
【０００９】
また、本発明の一態様では、前記ファクシミリ装置は、前記受信手段により受信されたファクシミリ画像情報から、当該ファクシミリ画像情報内の画像合成領域を認識する画像合成領域認識手段と、前記受信されたファクシミリ画像情報と前記取得された画像情報とを、前記認識された画像合成領域に前記画像情報が配置されるように合成する画像合成手段と、をさらに備え、前記印刷手段は、前記画像合成手段により合成された画像情報を印刷する。
【００１０】
本発明に係るファクシミリ装置の制御プログラムは、ファクシミリ装置のコンピュータに、公衆回線を使って受信されたファクシミリ画像情報から、検索用の情報を抽出する手順と、前記抽出された検索用の情報に基づいて、前記ファクシミリ装置に接続された通信網から検索された画像情報を取得する手順と、前記取得された画像情報を、前記ファクシミリ装置の印刷部に印刷させる手順と、を実行させることを特徴とする。
【発明の効果】
【００１１】
請求項１に記載の発明によれば、通信網上の画像情報をファクシミリ通信により受信して印刷する場合に比して、通信網上の画像情報を高画質で印刷することが可能となる。
【００１２】
請求項２に記載の発明によれば、通信網上の特定の場所にある画像情報を高画質で印刷することが可能となる。
【００１３】
請求項３に記載の発明によれば、地図上の特定の位置に対応する地図画像情報を高画質で印刷することが可能となる。
【００１４】
請求項４に記載の発明によれば、ファクシミリ画像情報内の特定の領域に通信網上の画像情報を合成して印刷することが可能となる。
【００１５】
請求項５に記載の発明によれば、通信網上の画像情報をファクシミリ通信により受信して印刷する場合に比して、通信網上の画像情報を高画質で印刷することが可能となる。
【発明を実施するための最良の形態】
【００１６】
以下、本発明の実施の形態を図面に従って説明する。
【００１７】
［第１の実施の形態］
図１は、本実施の形態に係るファクシミリ装置１の構成の一例を示すブロック図である。このファクシミリ装置１は、公衆回線Ｎ１を使ってファクシミリ画像情報を受信し、当該ファクシミリ画像情報を印刷する装置である。
【００１８】
図１において、ファクシミリ装置１は、画像読取部１０、ファクシミリ通信部２０、印刷部３０、通信網通信部４０、ユーザインタフェース部５０、および制御部７０を有する。
【００１９】
画像読取部１０は、原稿の画像を読み取って画像情報を生成するものである。画像読取部１０は、例えば、プラテン方式やシートスルー方式などにより原稿の画像を光学的に読み取って電子画像情報を生成するスキャナである。
【００２０】
ファクシミリ通信部２０は、公衆交換電話網やＩＳＤＮ(Integrated Services Digital Network)などの公衆回線Ｎ１を使ってファクシミリ画像情報を受信するものである。具体的には、ファクシミリ通信部２０は、公衆回線Ｎ１を介して、送信元のファクシミリ装置からファクシミリ画像情報を受信する。ファクシミリ通信部２０は、公衆回線Ｎ１を使ってファクシミリ画像情報を送信する機能を有していてもよい。ファクシミリ通信部２０は、例えば、公衆回線Ｎ１を介して他のファクシミリ装置と通信するための通信インタフェースである。
【００２１】
印刷部３０は、印刷対象の画像情報を印刷するものである。印刷部３０は、例えば、電子写真方式やインクジェット方式などにより画像情報を紙等の印刷媒体に印刷するプリントエンジンである。
【００２２】
通信網通信部４０は、インターネットやイントラネット等の複数のコンピュータをつなぎ合わせてお互いの情報がやり取りできる分散型ネットワークの通信網Ｎ２と通信するものである。通信網通信部４０は、例えば、通信網Ｎ２上の装置（例えばサーバコンピュータ）と通信するための通信インタフェースである。
【００２３】
ユーザインタフェース部（以下、「ＵＩ部」と略す）５０は、ユーザへの情報の提示およびユーザからの操作の受付を行うものである。ＵＩ部５０は、例えば、情報を表示する液晶ディスプレイ等の表示部と、ユーザからの操作入力を受け付ける操作ボタン等の受付部とを含む。ＵＩ部５０は、例えば、タッチパネル式のディスプレイである。
【００２４】
制御部７０は、所定の処理を実行するものであり、例えばファクシミリ装置１全体を制御する。本実施の形態では、制御部７０は、ＣＰＵ（Central Processing Unit）、ＲＯＭ（Read Only Memory）、メインメモリ、外部記憶装置（例えばハードディスク装置）などのハードウェア資源を含み、制御部７０の機能は、ＲＯＭまたは外部記憶装置に記録された制御プログラムがメインメモリに読み出されてＣＰＵにより実行されることによって実現される。上記制御プログラムは、ＣＤ−ＲＯＭ等の記録媒体に記録されて提供されることも可能であるし、データ信号として通信により提供されることも可能である。なお、制御部７０の機能は、ハードウェアのみにより実現されてもよい。
【００２５】
図２は、第１の実施の形態における制御部７０の機能構成の一例を示すブロック図である。図２において、制御部７０は、ファクシミリ画像情報取得部７１、情報抽出部７２、取得部７３、および印刷制御部７４を有する。
【００２６】
ファクシミリ画像情報取得部７１は、ファクシミリ通信部２０により公衆回線Ｎ１を使って受信されるファクシミリ画像情報を取得する。例えば、ファクシミリ画像情報取得部７１は、ファクシミリ通信部２０を制御して、公衆回線Ｎ１を使ってファクシミリ画像情報を受信する。
【００２７】
情報抽出部７２は、ファクシミリ画像情報取得部７１により取得されたファクシミリ画像情報から、検索用の情報（以下、「検索用情報」と略す）を抽出する。
【００２８】
一つの態様では、情報抽出部７２は、上記検索用情報として、通信網Ｎ２上の画像情報の所在を特定する所在情報を抽出する。具体的には、情報抽出部７２は、通信網Ｎ２上の画像情報格納装置に格納された画像情報の所在を特定する所在情報を抽出する。ここで、画像情報は、例えばＷｅｂページや画像ファイルなどであり、画像情報格納装置は、例えばそのような画像情報を格納するサーバ（例えばＷｅｂサーバ等）である。また、所在情報は、例えば、画像情報の所在を示すＵＲＬ(Uniform Resource Locator)情報やＩＰアドレス情報などである。
【００２９】
別の一つの態様では、情報抽出部７２は、上記検索用情報として、地図上の位置を特定する住所等の位置情報を抽出する。
【００３０】
本実施の形態では、情報抽出部７２は、文字認識機能を用いて、ファクシミリ画像情報に記載されている検索用の文字列、例えばＵＲＬの文字列や住所の文字列を認識して取得する。ＵＲＬを認識する具体的な方法としては、例えば、「ｗｗｗ」または「ｈｔｔｐ」等の文字列を検索してそれが含まれる文字行をＵＲＬと認識する方法が挙げられる。また、住所の文字列を認識する方法としては、例えば、「県」、「市」、「町」、「村」等の文字列を検索してそれらのうちいずれかが含まれる文字行を住所と認識する方法が挙げられる。ただし、情報抽出部７２は、文字認識以外の手法により検索用情報を抽出してもよい。例えば、情報抽出部７２は、検索用情報を含む二次元コード（例えばＱＲコード）をファクシミリ画像情報から読み取り、当該二次元コードから検索用情報を復元して取得してもよい。
【００３１】
取得部７３は、通信網通信部４０を介して、情報抽出部７２により抽出された検索用情報に基づいて、当該ファクシミリ装置１に接続された通信網Ｎ２から検索された画像情報を取得する。例えば、取得部７３は、通信網通信部４０を介して、情報抽出部７２により抽出された検索用情報に基づいて、当該ファクシミリ装置１に接続された通信網Ｎ２から画像情報を検索して取得する。この場合、取得部７３は、通信網Ｎ２上のファクシミリ装置１以外の装置に検索を行わせてもよいし、自らが検索を行ってもよい。
【００３２】
一つの態様では、取得部７３は、情報抽出部７２により抽出された所在情報に基づいて、当該所在情報により特定される通信網Ｎ２上の画像情報の所在から、当該画像情報を取得する。具体的には、取得部７３は、所在情報に基づいて、当該所在情報により特定される所在にある画像情報を、通信網Ｎ２上の画像情報格納装置から取得する。例えば、取得部７３は、Ｗｅｂブラウザを用いて、抽出されたＵＲＬに基づき、インターネット上のＷｅｂサーバからＷｅｂページを取得する。
【００３３】
別の一つの態様では、取得部７３は、情報抽出部７２により抽出された位置情報に基づいて、当該位置情報により特定される位置に対応する地図画像情報を、通信網Ｎ２から取得する。ここで、地図画像情報は、例えば、位置情報により特定される位置の周辺の地図を示す画像情報である。取得部７３は、例えば、通信網Ｎ２上の地図画像情報提供装置に対して位置情報を送り、当該地図画像情報提供装置から当該位置情報に対応する地図画像情報の提供を受ける。ここで、地図画像情報提供装置は、例えば、クライアントから住所等の位置情報を受けると、当該位置情報に基づいて地図画像情報をクライアントに提供するサーバである。例えば、地図画像情報提供装置はＷｅｂサーバであり、取得部７３は、Ｗｅｂブラウザを用いて地図画像情報提供装置から地図画像情報の提供を受ける。
【００３４】
印刷制御部７４は、取得部７３により取得された画像情報を、印刷部３０に印刷させる。すなわち、印刷制御部７４は、印刷部３０と協働して、取得部７３により取得された画像情報を印刷する。本実施の形態では、印刷制御部７４は、ファクシミリ通信部２０により受信されたファクシミリ画像情報を印刷し、これとは別に、上記取得された画像情報を印刷する。例えば、印刷制御部７４は、図３に示されるように、受信されたファクシミリ画像情報３０１を印刷出力した後に、取得された画像情報３０２を別のページとして追加的に印刷出力する。
【００３５】
本実施の形態では、上記ブロック７１〜７４の機能の他に、制御部７０は、以下に示される機能を有する。ただし、以下に示される機能の一部または全部は省略されてもよい。
【００３６】
制御部７０は、画像読取部１０により読み取られた画像情報を、ファクシミリ通信部２０を用いてファクシミリ送信する機能を有する。
【００３７】
また、制御部７０は、抽出された検索用情報（例えば所在情報や位置情報）をＵＩ部５０に一覧表示させ、一覧表示された検索用情報のうち、画像情報の取得に用いられるべき１または複数の検索用情報の指定を、ＵＩ部５０を介して受け付ける機能を有する。そして、本実施の形態では、取得部７３は、上記指定された検索用情報に基づいて、通信網Ｎ２からの画像情報の取得を行う。
【００３８】
図４は、第１の実施の形態における制御部７０の動作手順の一例を示すフローチャートである。以下、図４に従って、本実施の形態における制御部７０の動作を説明する。
【００３９】
制御部７０は、ファクシミリ通信部２０を介して、公衆回線Ｎ１からファクシミリ画像情報を受信する（Ｓ１１）。
【００４０】
ついで、制御部７０は、受信されたファクシミリ画像情報から、ＵＲＬや住所等の検索用情報を抽出する（Ｓ１２）。
【００４１】
ついで、制御部７０は、抽出された１または複数の検索用情報をＵＩ部５０に一覧表示させる（Ｓ１３）。
【００４２】
ついで、制御部７０は、上記一覧表示された検索用情報のうち、画像情報の取得に用いられるべき１または複数の検索用情報の指定を、例えばユーザからＵＩ部５０を介して受け付ける（Ｓ１４）。
【００４３】
ついで、制御部７０は、指定された検索用情報があるか否かを判断する（Ｓ１５）。
【００４４】
指定された検索用情報がないと判断された場合（Ｓ１５：ＮＯ）、制御部７０は、受信されたファクシミリ画像情報を印刷部３０に印刷させる（Ｓ１６）。
【００４５】
一方、指定された検索用情報があると判断された場合（Ｓ１５：ＹＥＳ）、制御部７０は、指定された検索用情報に基づいて、通信網Ｎ２から画像情報を検索して取得する（Ｓ１７）。そして、制御部７０は、受信されたファクシミリ画像情報を印刷部３０に印刷させた後、取得された画像情報を印刷部３０に印刷させる（Ｓ１８）。
【００４６】
以上のとおり、本実施の形態では、受信されたファクシミリ画像情報から検索用情報が抽出され、当該検索用情報に基づいて通信網から画像情報が取得され、当該画像情報が印刷される。このため、通信網上の画像情報をファクシミリ通信により受信して印刷する場合に比して、通信網上の画像情報が高画質で印刷される。また、通信網上の画像情報をファクシミリ送信する場合に比して、ファクシミリ通信のデータ量が少ない。
【００４７】
［第２の実施の形態］
本実施の形態に係るファクシミリ装置は、上記第１の実施の形態に係るファクシミリ装置１と殆ど同じであるが、受信されたファクシミリ画像情報と取得された画像情報とを合成し、合成された画像情報を印刷する点で異なる。以下、本実施の形態に係るファクシミリ装置について説明するが、上記第１の実施の形態に係るファクシミリ装置１と共通する部分については、同一の符号を用い、説明を省略する。
【００４８】
図５は、第２の実施の形態における制御部７０の機能構成の一例を示すブロック図である。
【００４９】
図５に示されるように、本実施の形態では、制御部７０は、機能ブロック７１〜７４に加えて、画像合成領域認識部７５と画像合成部７６とをさらに有する。
【００５０】
画像合成領域認識部７５は、受信されたファクシミリ画像情報から、当該ファクシミリ画像情報内の画像合成領域を認識する。本実施の態様では、画像合成領域認識部７５は、抽出された検索用情報を囲む枠（例えば四角形の枠）の内側の領域を、画像合成領域として認識する。例えば、図６の例では、画像合成領域認識部７５は、検索用情報であるＵＲＬ文字列６０１を囲む枠６０２の内側の領域６０３を、画像合成領域として認識する。ただし、画像合成領域を認識する手法は、上記に限定されない。例えば、画像合成領域認識部７５は、空白領域を囲む四角形等の枠の内側の領域を、画像合成領域として認識してもよい。また、画像合成領域認識部７５は、ファクシミリ画像情報に含まれる二次元コードから、画像合成領域を特定する座標（例えば矩形領域の４つの頂点の座標）を取得し、当該座標に基づいて画像合成領域を認識してもよい。上記の画像合成領域は、例えば送信元のファクシミリ装置のユーザにより指定され、上記の枠や二次元コードなどの画像合成領域を特定する情報は、例えば送信元のファクシミリ装置のユーザによって付される。
【００５１】
画像合成部７６は、受信されたファクシミリ画像情報と取得された画像情報とを、画像合成領域認識部７５により認識された画像合成領域に上記取得された画像情報が配置されるように合成し、合成画像情報を生成する。例えば、画像合成部７６は、図６に示されるように、受信されたファクシミリ画像情報６０４内の画像合成領域６０３に、取得された画像情報６０５を貼り付けて、合成画像情報６０６を生成する。本実施の形態では、画像合成部７６は、受信されたファクシミリ画像情報と取得された画像情報とを合成する際、画像合成領域の寸法（サイズ）に合わせて画像情報を拡縮する。
【００５２】
本実施の形態では、印刷制御部７４は、画像合成部７６により合成された画像情報（すなわち合成画像情報）を、印刷部３０に印刷させる。
【００５３】
図７は、第２の実施の形態における制御部７０の動作手順の一例を示すフローチャートである。以下、図７に従って、本実施の形態における制御部７０の動作を説明する。
【００５４】
制御部７０は、上記第１の実施の形態と同様に、ファクシミリ画像情報を受信し（Ｓ２１）、当該ファクシミリ画像情報から検索用情報を抽出し（Ｓ２２）、抽出された検索用情報をＵＩ部５０に一覧表示させ（Ｓ２３）、例えばユーザからＵＩ部５０を介して検索用情報の指定を受け付ける（Ｓ２４）。そして、制御部７０は、指定された検索用情報があるか否かを判断する（Ｓ２５）。
【００５５】
指定された検索用情報がないと判断された場合（Ｓ２５：ＮＯ）、制御部７０は、受信されたファクシミリ画像情報を印刷部３０に印刷させる（Ｓ２６）。
【００５６】
一方、指定された検索用情報があると判断された場合（Ｓ２５：ＹＥＳ）、制御部７０は、指定された検索用情報に基づいて、通信網Ｎ２から画像情報を検索して取得する（Ｓ２７）。
【００５７】
ついで、制御部７０は、受信されたファクシミリ画像情報から、当該ファクシミリ画像情報内の画像合成領域を認識することを試み（Ｓ２８）、画像合成領域が認識されたか否かを判断する（Ｓ２９）。
【００５８】
画像合成領域が認識されなかったと判断された場合（Ｓ２９：ＮＯ）、制御部７０は、受信されたファクシミリ画像情報を印刷部３０に印刷させた後、取得された画像情報を印刷部３０に印刷させる（Ｓ３０）。
【００５９】
一方、画像合成領域が認識されたと判断された場合（Ｓ２９：ＹＥＳ）、制御部７０は、認識された画像合成領域のサイズに合わせて、取得された画像情報を拡縮する（Ｓ３１）。ついで、制御部７０は、拡縮された画像情報をファクシミリ画像情報の画像合成領域に貼り付けて、合成画像情報を生成する（Ｓ３２）。そして、制御部７０は、生成された合成画像情報を印刷部３０に印刷させる（Ｓ３３）。
【００６０】
以上のとおり、本実施の形態では、受信されたファクシミリ画像情報と取得された画像情報とが、上記ファクシミリ画像情報内の画像合成領域に上記画像情報が配置されるように合成され、合成後の画像情報が印刷される。
【００６１】
なお、本発明は、上記実施の形態に限定されるものではなく、本発明の要旨を逸脱しない範囲内で種々変更することができる。
【００６２】
例えば、制御部７０は、検索用情報に基づいて通信網Ｎ２から画像情報を取得した後に、取得された画像情報を当該ファクシミリ装置の表示部（例えばＵＩ部５０であり、以下同様）に表示させてもよい。そして、制御部７０は、当該ファクシミリ装置の受付部（例えばＵＩ部５０であり、以下同様）を介して、上記表示された画像情報毎に、印刷するか否かの指示を受け付け、印刷すると指示された画像情報を印刷部３０に印刷させてもよい。
【００６３】
また、制御部７０は、検索用情報に基づいて通信網Ｎ２から画像情報を取得した後に、取得された画像情報をサムネイル画像（縮小画像）形式で当該ファクシミリ装置の表示部に一覧表示させてもよい。そして、制御部７０は、当該ファクシミリ装置の受付部を介して、上記一覧表示された画像情報の中から、印刷されるべき１または複数の画像情報の指定を受け付け、指定された画像情報を印刷部３０に印刷させてもよい。
【００６４】
また、制御部７０は、取得された画像情報を表示部に表示させた後、上記表示された画像情報中のリンク（すなわち他の画像情報の所在を示す所在情報）に対する指定操作を受付部を介して受け付け、指定されたリンク先の画像情報を通信網Ｎ２から取得し、当該リンク先の画像情報を表示部に表示させてもよい。そして、制御部７０は、受付部を介して、上記表示された画像情報を印刷するか否かの指示を受け付け、印刷すると指示された場合に当該画像情報を印刷部３０に印刷させてもよい。
【００６５】
また、制御部７０は、抽出された所在情報、抽出された位置情報、または取得された画像情報を、ハードディスク装置やフラッシュメモリなどのコンピュータ読み取り可能な記録媒体に記録してもよい。
【００６６】
また、画像読取部１０や、ファクシミリ通信部２０のファクシミリ送信機能は、省略されてもよい。
【図面の簡単な説明】
【００６７】
【図１】第１の実施の形態に係るファクシミリ装置の構成の一例を示すブロック図である。
【図２】第１の実施の形態における制御部の機能構成の一例を示すブロック図である。
【図３】第１の実施の形態における印刷処理の一例を示す図である。
【図４】第１の実施の形態における制御部の動作手順の一例を示すフローチャートである。
【図５】第２の実施の形態における制御部の機能構成の一例を示すブロック図である。
【図６】第２の実施の形態における、受信されたファクシミリ画像情報および合成画像情報の一例を示す図である。
【図７】第２の実施の形態における制御部の動作手順の一例を示すフローチャートである。
【符号の説明】
【００６８】
１  ファクシミリ装置、１０  画像読取部、２０  ファクシミリ通信部、３０  印刷部、４０  通信網通信部、５０  ユーザインタフェース部、７０  制御部、７１  ファクシミリ画像情報取得部、７２  情報抽出部、７３  取得部、７４  印刷制御部、７５  画像合成領域認識部、７６  画像合成部、Ｎ１  公衆回線、Ｎ２  通信網。
【図１】
2008187599.tif 000003
【図２】
2008187599.tif 000004
【図３】
2008187599.tif 000005
【図４】
2008187599.tif 000006
【図５】
2008187599.tif 000007
【図６】
2008187599.tif 000008
【図７】
2008187599.tif 000009